(57)【要約】【課題】庭等に設けられるデッキの温度上昇を抑制することができ、これによって、快適な居住環境を形成することが可能な建物のデッキ構造を提供することを目的とする。【解決手段】建物本体１に隣接する庭２（２Ａ，２Ｂ）にデッキ３（３Ａ，３Ｂ）が設置され、このデッキ３（３Ａ，３Ｂ）の床面を構成する複数のデッキ材４（４０，４Ａ，４Ｂ）の下方に、保水性能および浸透性能を有するブロック材５（５０，５Ａ，５Ｂ）が設けられていることを特徴とする建物のデッキ構造。これにより、ブロック材に水を浸透させて保持することができ、デッキの温度上昇を抑制することができる。さらに、デッキだけでなく、デッキ周囲の温度上昇を抑制することもできるので、窓やドアを開けて自然換気を行う際も、比較的温度の低い外気を建物内部に取り入れることができ、快適な居住環境を形成することが可能となる。【選択図】図８
2007327229.tif 000002
【特許請求の範囲】
【請求項１】
建物本体に隣接する庭にデッキが設置され、このデッキの床面を構成する複数のデッキ材の下方に、保水性能および浸透性能を有するブロック材が設けられていることを特徴とする建物のデッキ構造。
【請求項２】
請求項１に記載の建物のデッキ構造において、
前記複数のデッキ材を下方から支持する複数の根太が、デッキ材の架設方向と交差する方向に所定間隔で架設されており、隣り合う根太間に前記ブロック材が設けられていることを特徴とする建物のデッキ構造。
【請求項３】
請求項２に記載の建物のデッキ構造において、
前記複数のデッキ材は、所定の間隔を空けて並設されていることを特徴とする建物のデッキ構造。
【請求項４】
請求項１に記載の建物のデッキ構造において、
前記複数のデッキ材は、セルロース系微粉粒と樹脂とを混合して押出成形してなる長尺な木質様成形品であり、上板部および両側板部と、これら上板部と両側板部とで囲まれた中空部とを備えて断面略コ字状に形成されており、前記中空部に前記ブロック材が設けられていることを特徴とする建物のデッキ構造。
【請求項５】
請求項４に記載の建物のデッキ構造において、
前記両側板部に、前記中空部と外部とを連通する孔部が複数形成されていることを特徴とする建物のデッキ構造。
【請求項６】
請求項１に記載の建物のデッキ構造において、
前記ブロック材は地面に複数敷設されており、これらブロック材上に前記デッキが設置されていることを特徴とする建物のデッキ構造。
【請求項７】
請求項１〜６のいずれか一項に記載の建物のデッキ構造において、
前記ブロック材には、このブロック材に水を供給する供給手段が設けられていることを特徴とする建物のデッキ構造。
【発明の詳細な説明】
【技術分野】
【０００１】
本発明は、建物のデッキ構造に関する。
【背景技術】
【０００２】
従来より、建物に隣接する庭等の外構部分に、屋外側に張り出すようにしてデッキを設けることが行われている（例えば、特許文献１参照）。このようなデッキ上には、テーブルや椅子・観葉植物などが置かれ、くつろぐための空間として利用されたり、洗濯干し場やペットの飼育スペースとしても利用されてきた。
【特許文献１】特開平０７−２９２７６８号公報
【発明の開示】
【発明が解決しようとする課題】
【０００３】
ところが、夏場のデッキ表面の温度上昇が甚だしく、その表面温度は、コンクリートと同様に上昇して高温になる場合がある。このため、特に晴天時には快適に過ごすことが困難であった。また、近年は木製のデッキの他にも、樹脂製のデッキを設けることも行われており、木製のものと同様に表面が高温になる場合があった。
そして、このようなデッキが、例えば窓際の部屋等に隣接して設けられる場合、デッキ表面が高温化するにしたがって部屋内の高温化を助長する原因となる場合もある。さらに、各部屋の窓やドアを開けて自然換気を行う際も、高温なデッキによって暖められた外気が建物内に流入してしまうという問題があった。
そこで、デッキの温度上昇を抑制するとともに、デッキ周囲の温度も抑制することが可能な技術の開発が望まれていた。
【０００４】
本発明の課題は、庭等に設けられるデッキの温度上昇を抑制することができ、これによって、快適な居住環境を形成することが可能な建物のデッキ構造を提供することを目的とする。
【課題を解決するための手段】
【０００５】
請求項１に記載の発明は、例えば図１〜図８に示すように、建物本体１に隣接する庭２（２Ａ，２Ｂ）にデッキ３（３Ａ，３Ｂ）が設置され、このデッキ３（３Ａ，３Ｂ）の床面を構成する複数のデッキ材４（４０，４Ａ，４Ｂ）の下方に、保水性能および浸透性能を有するブロック材５（５０，５Ａ，５Ｂ）が設けられていることを特徴とする。
【０００６】
請求項１に記載の発明によれば、前記複数のデッキ材４（４０，４Ａ，４Ｂ）の下方に、保水性能および浸透性能を有するブロック材５（５０，５Ａ，５Ｂ）が設けられているので、このブロック材５（５０，５Ａ，５Ｂ）に水を浸透させて保持することができる。そして、水は蒸発するに際して所定の熱量を周囲から奪う性質を備えていることから、前記ブロック材５（５０，５Ａ，５Ｂ）によって保持した水が蒸発する際に、周囲の熱を奪いながら蒸発するので、デッキ３（３Ａ，３Ｂ）の温度上昇を抑制することができる。
さらに、デッキ３（３Ａ，３Ｂ）だけでなく、デッキ３（３Ａ，３Ｂ）周囲の温度上昇を抑制することもできるので、窓やドアを開けて自然換気を行う際も、比較的温度の低い外気を建物内部に取り入れることができ、快適な居住環境を形成することが可能となる。
【０００７】
請求項２に記載の発明は、例えば図１に示すように、請求項１に記載の建物のデッキ構造において、
前記複数のデッキ材４を下方から支持する複数の根太６が、デッキ材４の架設方向と交差する方向に所定間隔で架設されており、隣り合う根太６間に前記ブロック材５が設けられていることを特徴とする。
【０００８】
請求項２に記載の発明によれば、前記隣り合う根太６間にブロック材５が設けられていることから、このブロック材５によって保持した水が蒸発するに際して、所定の熱量を前記複数のデッキ材４および周囲から奪うことができるので、デッキ３の温度上昇を抑制することができる。さらに、前記デッキ３だけでなく、デッキ３周囲の温度上昇を抑制することもできるので、窓やドアを開けて自然換気を行う際も、比較的温度の低い外気を建物内部に取り入れることができ、より快適な居住環境を形成することが可能となる。
【０００９】
請求項３に記載の発明は、例えば図１に示すように、請求項２に記載の建物のデッキ構造において、
前記複数のデッキ材４は、所定の間隔を空けて並設されていることを特徴とする。
【００１０】
請求項３に記載の発明によれば、前記複数のデッキ材４は、所定の間隔を空けて並設されているので、隣り合うデッキ材４間に隙間を形成することができる。これによって降雨時には、前記隙間からブロック材５に確実に雨水等を流入させて保持することができ、気温上昇時には、前記ブロック材５で保持した水を前記隙間から確実に蒸発させることができる。
【００１１】
請求項４に記載の発明は、例えば図２に示すように、請求項１に記載の建物のデッキ構造において、
前記複数のデッキ材４０は、セルロース系微粉粒と樹脂とを混合して押出成形してなる長尺な木質様成形品であり、上板部４１および両側板部４２と、これら上板部４１と両側板部４２とで囲まれた中空部４３とを備えて断面略コ字状に形成されており、前記中空部４３に前記ブロック材５０が設けられていることを特徴とする。
【００１２】
請求項４に記載の発明によれば、前記上板部４１および両側板部４２と、これら上板部４１と両側板部４２とで囲まれた中空部４３に前記ブロック材５０が設けられていることから、このブロック材５０によって保持した水が蒸発するに際して、所定の熱量を周囲から奪うことができるので、デッキ材４０毎に確実に温度上昇を抑制することができる。さらに、各デッキ材４０だけでなく、デッキ３周囲の温度上昇を抑制することもできるので、より快適な居住環境を形成することが可能となる。
【００１３】
請求項５に記載の発明は、例えば図２に示すように、請求項４に記載の建物のデッキ構造において、
前記両側板部４２に、前記中空部４３と外部とを連通する孔部４４が複数形成されていることを特徴とする。
【００１４】
請求項５に記載の発明によれば、前記両側板部４２に、前記中空部４３と外部とを連通する孔部４４が複数形成されているので、降雨時には、前記複数の孔部４４からブロック材５０に確実に雨水等を流入させて保持することができ、気温上昇時には、前記ブロック材５０で保持した水を前記複数の孔部４４から確実に蒸発させることができる。
【００１５】
請求項６に記載の発明は、例えば図３および図４に示すように、請求項１に記載の建物のデッキ構造において、
前記ブロック材５Ａ（５Ｂ）は地面に複数敷設されており、これらブロック材５Ａ（５Ｂ）上に前記デッキ３Ａ（３Ｂ）が設置されていることを特徴とする。
【００１６】
請求項６に記載の発明によれば、前記ブロック材５Ａ（５Ｂ）が地面に複数敷設され、これらブロック材５Ａ（５Ｂ）上に前記デッキ３Ａ（３Ｂ）が設置されているので、前記ブロック材５Ａ（５Ｂ）に浸透して保持された水が蒸発する際に、周囲の熱を奪いながら蒸発することによって、前記ブロック材５Ａ（５Ｂ）上に設けられたデッキ３Ａ（３Ｂ）の温度上昇を抑制することができる。
さらに、デッキ３Ａ（３Ｂ）だけでなく、デッキ３Ａ（３Ｂ）周囲の温度上昇を抑制することもできるので、窓やドアを開けて自然換気を行う際も、比較的温度の低い外気を建物内部に取り入れることができ、より快適な居住環境を形成することが可能となる。
【００１７】
請求項７に記載の発明は、例えば図１および図６〜図７に示すように、請求項１〜６のいずれか一項に記載の建物のデッキ構造において、
前記ブロック材５（５０，５Ａ，５Ｂ）には、このブロック材５（５０，５Ａ，５Ｂ）に水を供給する供給手段１０（１１，１０Ａ，１０Ｂ）が設けられていることを特徴とする。
【００１８】
請求項７に記載の発明によれば、前記ブロック材５（５０，５Ａ，５Ｂ）に、このブロック材５（５０，５Ａ，５Ｂ）に水を供給する供給手段１０（１１，１０Ａ，１０Ｂ）が設けられているので、ブロック材５（５０，５Ａ，５Ｂ）が乾燥した際に、水をブロック材５（５０，５Ａ，５Ｂ）に確実に供給することができる。
【発明の効果】
【００１９】
本発明によれば、複数のデッキ材の下方に、保水性能および浸透性能を有するブロック材が設けられているので、このブロック材に水を浸透させて保持することができる。そして、水は蒸発するに際して所定の熱量を周囲から奪う性質を備えていることから、前記ブロック材によって保持した水が蒸発する際に、周囲の熱を奪いながら蒸発するので、デッキの温度上昇を抑制することができる。
さらに、デッキだけでなく、デッキ周囲の温度上昇を抑制することもできるので、窓やドアを開けて自然換気を行う際も、比較的温度の低い外気を建物内部に取り入れることができ、快適な居住環境を形成することが可能となる。
【発明を実施するための最良の形態】
【００２０】
以下、図面を参照して本発明の実施の形態について説明する。
ここで、以下に説明する各実施の形態の建物のデッキ構造は、図１〜図８に示すように、建物本体１に隣接する庭２（２Ａ，２Ｂ）にデッキ３（３Ａ，３Ｂ）が設置され、このデッキ３（３Ａ，３Ｂ）の床面を構成する複数のデッキ材４（４０，４Ａ，４Ｂ）の下方に、保水性能および浸透性能を有するブロック材５（５０，５Ａ，５Ｂ）が設けられていることを基本構造Ｓとしている。
【００２１】
（第１の実施の形態）
本実施の形態の建物のデッキ構造は、前記基本構造Ｓを備えているとともに、図１に示すように、前記複数のデッキ材４を下方から支持する複数の根太６が、デッキ材４の架設方向と交差する方向に所定間隔で架設されており、隣り合う根太６間に前記ブロック材５が設けられているものである。
なお、本実施の形態の複数のデッキ材４を備えたデッキ３は、図８に示すように、建物本体１の中央に設けられた中庭２０に設置されている。
【００２２】
ここで、本実施の形態のデッキ材４は木製であり、断面視略矩形状の床板材が用いられており、前記中庭２０の幅寸法と同様の長さ寸法を備えている。なお、このようなデッキ材４の樹種としては、レッドシダー材やイペ材、イエローパイン材等、様々なものが知られている。
【００２３】
前記根太６は、上述のように前記複数のデッキ材４を下方から支持するものであり、デッキ材４の架設方向と交差する方向に所定間隔で架設されている。また、デッキ３の一方の端部に位置するデッキ材４と他方の端部に位置するデッキ材４との間の寸法と略同様の長さ寸法を備えている。
なお、これら複数の根太６は、図１に示すように、地盤上に所定の間隔で設置された束石７上に、複数の床束８が取り付けられており、これら複数の床束８上に前記複数の根太６が設けられている。
【００２４】
また、これら根太６の両側面には、前記ブロック材５を隣り合う根太６間に保持するための保持部材９が取り付けられている。この保持部材９は、ビス等によって根太６に止着固定されている。
【００２５】
前記ブロック材５は、保水性能および浸透性能を有しており、前記隣り合う根太６間に設けられるものであり、前記保持部材９によって確実に保持されている。
このブロック材５は、例えば強度を補う添加剤を添加することなく、粒度３〜２０mmの軽石（乾燥比重が０.４）５０〜６２重量％とポルトランドセメント５０〜３８重量％との配合物に、水４０〜５０重量％を散布して混練した状態の生コンクリートを型枠に入れて固めたものである。なお、軽石は産地により乾燥比重が多少ばらつくが、大きな相違はない。
【００２６】
また、この配合比を容積で表すと、軽石（乾燥比重が０.４）７０〜８５容積％と、ポルトランドセメント３０〜１５容積％との配合物に対して水２０〜３０容積％を散布して混練するものである。
さらに、このように軽石を骨材とするコンクリートの含水比重は、セメントと砕石等の天然骨材とポルトランドセメントのみを使用したコンクリートの約６０％であり、乾燥比重は、約５０％である。
【００２７】
保水性能については、軽石を骨材として使用したブロック材５の含水比重は約１２００ｋｇ／ｍ3であり、およそ３００ｋｇ／ｍ3以上の水分を保水できる。また、浸透性能については、軽石で保水しきれなくなった水分を透過させるので、前記天然骨材を使用したコンクリートと同等の性能を得ることができる。
すなわち、例えば、この軽石を骨材とするブロック材５を庭等の舗装面の舗装材として用いた場合、ブロック材５を５０ｍｍの厚みで舗装すると、含水重量は６０ｋｇ／ｍ2であり、乾燥重量は４５ｋｇ／ｍ2であるから１５リットルの水を保水することが可能となる。つまり、ブロック材５は、このような舗装面を形成できるような優れた性能を有している。
【００２８】
ここで、デッキ３を構成するに際して、前記複数のデッキ材４は、所定の間隔を空けて並設され、隣り合うデッキ材４間に隙間が形成されているものとする。すなわち、これによって降雨時には、前記隙間からブロック材５に確実に雨水等を流入させて保持することができ、気温上昇時には、前記ブロック材５で保持した水を前記隙間から確実に蒸発させることができるためである。
また、前記ブロック材５は前記保持部材９によって隣り合う根太６間に保持されているので、ブロック材５によって保持しきれなかった余分な水分を、保持部材９が掛かっていない部分から下方に排出することができるようになっている。
【００２９】
なお、このブロック材５はこのように保水性能を有しているので、前記デッキ材４との間に防水シートを挟み込んで設けておくことが好ましい。したがって、前記ブロック材５に保水された水による前記複数のデッキ材４の反り等を確実に防ぐことができる。
【００３０】
一方、ブロック材５には、このブロック材５に水を供給する供給手段１０が設けられている。すなわち、図５に示すように、前記ブロック材５に給水パイプ１０ａが内設されており、この給水パイプ１０ａには、外部に連通する給水口１０ｂが設けられている。なお、前記給水パイプ１０ａは三叉に形成されているとともに、多数の小穴（図示せず）があけられており、給水管パイプ１０ａの根元部分から先端部分まで略均等に水を排出することができるので、水をブロック材５に満遍なく行き渡らせることができる。
【００３１】
そして、図１に示すように、前記ブロック材５の給水口１０ｂには、給水源（図示せず）から延出する送水用パイプ１０ｃが接続されている。さらに、この送水用パイプ１０ｃは、枝分かれしながら延出することによって、前記デッキ材３の下方に設けられる全てのブロック材５，５…の給水口１０ｂに接続されており、これら全てのブロック材５，５…に水を供給できるようになっている。
このようにブロック材５に供給手段１０が設けられることによって、ブロック材５が乾燥した際に、水をブロック材５に確実に供給することができるようになっている。また雨の少ない時季でも前記ブロック材５に対して自由に水を供給することができるようになっている。
【００３２】
なお、以上のような供給手段１０の他にも、図６に示すように、貯水槽１１ａから延出する給水管１１ｂが前記ブロック材５に内設された状態の供給手段１１を用いても良い。
また、前記貯水槽１１ａは、普段から溜めておいた雨水を使用するようにしても良く、その他の給水源を利用しても良い。さらに、前記ブロック材５に保水量を感知するセンサー等を設けておくとともに、前記貯水槽１１ａに自動供給手段（図示せず）等を設けておくことによって、自動的に前記ブロック材５に水を供給できるので好ましい。
さらに、前記給水管１１ｂには、図示はしないが、多数の小穴があけられており、給水管１１ｂの根元部分から先端部分まで略均等に水を排出することができるので、水をブロック材５に満遍なく行き渡らせることができる。
しかも、図７に示すように、前記供給手段１１も、前記給水管１１ｂを複数に増やすことによって、複数のブロック材５に対応できるようになっている。
【００３３】
次に、本実施の形態においてデッキ３を中庭２０に設置したことについて説明する。
まず、図８に示すように、建物内部には、前記中庭２０を囲むようにして廊下２１が設けられ、この廊下２１の周囲に玄関２２やリビング２３、水回り室２４、和室２５等が設けられている。
ここで、前記中庭２０は平面視において略四角形状に形成されており、このため、四方に壁２０ａが設けられた状態となっている。これら四方の壁２０ａにはそれぞれ窓が設けられており、第１の窓２２ａが前記玄関２２側に設けられている。また、第２の窓２３ａが前記リビング２３側に設けられるとともに、第３の窓２４ａが前記水回り室２４側に設けられ、さらに第４の窓２５ａが前記和室２５側に設けられている。
【００３４】
このように複数の窓２２ａ，２３ａ，２４ａ，２５ａを備えた中庭２０に、前記デッキ３を設置する。本実施の形態においては、出入りのしやすさ等を考慮して、他の窓２２ａ，２３ａ，２５ａよりも広く形成された第３の窓２４ａに面して設置するものとする。なお、設置箇所は第３の窓２４ａに面した位置に限らない。
【００３５】
そして、このように中庭２０にデッキ３を設置することによって、快適な居住環境を形成することができる。
すなわち、まず、前記デッキ３の隣り合う根太６間には前記ブロック材５が設けられていることから、このブロック材５によって保持した水が蒸発するに際して、所定の熱量を前記複数のデッキ材４および周囲から奪うことができるので、デッキ３の温度上昇を抑制することができる。さらに、前記デッキ３だけでなく、デッキ３周囲の温度上昇を抑制することもできるので、前記中庭２０の温度上昇を抑制し、中庭２０の温度低下を図ることができる。
【００３６】
そして、上述のように前記中庭２０には四方に窓２２ａ，２３ａ，２４ａ，２５ａが設けられた構成となっているので、これら四方の窓２２ａ，２３ａ，２４ａ，２５ａを開けて自然換気を行う際に、前記中庭２０の比較的温度の低い外気を、建物内部の玄関２２やリビング２３、水回り室２４、和室２５等に取り入れることができ、快適な居住環境を形成することが可能となる。
さらには、前記玄関２２のドア２２ｂを開け放したり、その他の各部屋に設けられた複数の窓を開けたりすることで、建物内部の通風性が向上するので、前記中庭２０の比較的温度の低い外気を建物内部に効率良く行き渡らせることができる。
また、前記中庭２０を、建物本体１の上下階に連通するように構成することによって、中庭２０の比較的温度の低い空気を上下階の各部屋に行き渡らせることも可能となる。
【００３７】
なお、前記デッキ３を設置する場所として、建物本体１の中央に設けられた中庭２０を挙げたが、これに限られるものではなく、外庭２に設けたり、バルコニーの床として用いたり等、様々な場所に設置して良い。しかも、建物内部の間取りも上述のような間取りに限られるものではなく、本発明の趣旨を逸脱しない範囲で適宜変更可能である。
【００３８】
以上のように本実施の形態によれば、複数のデッキ材４の下方に、保水性能および浸透性能を有するブロック材５が設けられているので、このブロック材５に水を浸透させて保持することができる。そして、水は蒸発するに際して所定の熱量を周囲から奪う性質を備えていることから、前記ブロック材５によって保持した水が蒸発する際に、周囲の熱を奪いながら蒸発するので、デッキ３の温度上昇を抑制することができる。
さらに、デッキ３だけでなく、デッキ３周囲の温度上昇を抑制することもできるので、窓やドアを開けて自然換気を行う際も、比較的温度の低い外気を建物内部に取り入れることができ、快適な居住環境を形成することが可能となる。
【００３９】
（第２の実施の形態）
次に、図面を参照して本発明の第２の実施の形態について説明する。なお、説明の便宜上、上述した第１の実施の形態とは異なる構成部分のみについて説明する。
【００４０】
本実施の形態の建物のデッキ構造は、前記基本構造Ｓを備えているとともに、図２に示すように、前記複数のデッキ材４０は、セルロース系微粉粒と樹脂とを混合して押出成形してなる長尺な木質様成形品であり、上板部４１および両側板部４２と、これら上板部４１と両側板部４２とで囲まれた中空部４３とを備えて断面略コ字状に形成されており、前記中空部４３に前記ブロック材５０が設けられているものである。
【００４１】
ここで、前記セルロース系微粉粒は、例えば、木材の粗粉砕物、バカスの粗粉砕物、稲藁の粗粉砕物等における各種植物細胞体の原料材粗粉砕物を出発原料とし、これを磨砕処理することによって得ることができる。
【００４２】
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、後述するように、粗粉砕物から微粉砕物にする粉砕処理と、微粉砕された粉粒を、繊維状態のものが絡み合い、その表面が繊毛で覆われている状態の粉粒形状から、表面に繊毛が少ない状態となるように表面研磨する研磨処理とを併せた処理を指している。
【００４３】
また、前記樹脂としては、一旦は製造された樹脂をも含めた、硬質樹脂、軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂がより好適である。ここで、一旦は製造された樹脂とは、ペットボトルやビニールシートのように成形品として一旦は機能したものの他、成形時に不良となったもの、成形時・加工時などに生じる端材のことである。
【００４４】
そして、前記デッキ材４０は、前記混合材料を用いて成形され形成されるものであるので、木質感に加えて、表面上には天然の木目に極めて近い木目模様が形成される。また、前記セルロース系微粉粒は、直径が１〜１００μｍの粒径状をなすものであり、繊毛上の突出部分がないので、木粉のごとく水（湿気を含む）、溶剤等を吸着することのない、防水性、防腐性を持った木質様製品として、前記デッキ材４０は形成されている。
【００４５】
また、前記両側板部４２の下端部には、この両側板部４２と直交する方向に延出する保持部４５が同時に成形されて形成されており、前記ブロック材５０を支持して前記中空部４３に保持することができる。さらに、前記ブロック材５０は前記保持部４５によって前記中空部４３に保持されているので、保持部４５が掛かっていない部分から下方に、余分な水分を排出することができるようになっている。
【００４６】
そして、前記両側板部４２には、前記中空部４３と外部とを連通する孔部４４が複数形成されている。これによって、降雨時には、前記複数の孔部４４からブロック材５０に確実に雨水等を流入させて保持することができ、気温上昇時には、前記ブロック材５０で保持した水を前記複数の孔部４４から確実に蒸発させることができるようになっている。
【００４７】
なお、本実施の形態のブロック材５０にも、上述した第１の実施の形態でも示したような供給手段１０（１１）を設けても良い。これによって、ブロック材５０に水を満遍なく行き渡らせることができる。
【００４８】
本実施の形態によれば、第１の実施の形態と同じ効果を得ることができるとともに、前記上板部４１および両側板部４２と、これら上板部４１と両側板部４２とで囲まれた中空部４３に前記ブロック材５０が設けられていることから、このブロック材５０によって保持した水が蒸発するに際して、所定の熱量を周囲から奪うことができるので、デッキ材４０毎に確実に温度上昇を抑制することができる。さらに、各デッキ材４０だけでなく、デッキ周囲の温度上昇を抑制することもできるので、より快適な居住環境を形成することが可能となる。
【００４９】
（第３の実施の形態）
次に、図面を参照して本発明の第３の実施の形態について説明する。なお、説明の便宜上、上述した第１および第２の実施の形態とは異なる構成部分のみについて説明する。
【００５０】
本実施の形態の建物のデッキ構造は、前記基本構造Ｓを備えているとともに、図３に示すように、前記ブロック材５Ａは地面に複数敷設されており、これらブロック材５Ａ上に前記デッキ３Ａが設置されているものである。
より詳細には、前記地面に複数敷設されたブロック材５Ａ上に、ベースプレート８Ａａを介して複数の床束８Ａが取り付けられるとともに、これら複数の床束８Ａ上に複数の根太６Ａが架設されており、さらに、これら複数の根太６Ａ上において、これら複数の根太６Ａの架設方向と交差する方向に複数のデッキ材４Ａが架設された状態となっている。
【００５１】
すなわち、地面に敷設された複数のブロック材５Ａは、デッキ３Ａを設置するための束石として用いられている。
このように、これら複数のブロック材５Ａを束石として用いた場合、例えば、地面よりも高い位置で保持する場合に比して、ブロック材５Ａの重量について憂慮する必要がないので、庭２Ａにデッキ３Ａを設置する際にはデッキ３Ａを組み立てやすく、デッキ３Ａ使用時においては、ブロック材５Ａの落下の心配がないので居心地が良い。
【００５２】
なお、本実施の形態のブロック材５Ａには、このブロック材５Ａに水を供給するための供給手段１０Ａが設けられている。本実施の形態においては、前記ブロック材５Ａが地面に敷設されているため、ブロック材５Ａに内設された給水パイプ（図示せず）の給水口１０Ａｂは、ブロック材５Ａの側面に設けられているとともに、給水源（図示せず）から延出する送水用パイプ１０Ａｃは、前記給水口１０Ａｂの位置に対応して、枝分かれしながら延出している。これによって、このようにブロック材５Ａが地面に敷設されていても円滑に水を供給できるので、ブロック材５Ａに水を満遍なく行き渡らせることができるようになっている。
【００５３】
本実施の形態によれば、第１の実施の形態と同じ効果を得ることができるとともに、前記ブロック材５Ａが地面に複数敷設され、これらブロック材５Ａ上に前記デッキ３Ａが設置されているので、前記ブロック材５Ａに浸透して保持された水が蒸発する際に、周囲の熱を奪いながら蒸発することによって、前記ブロック材５Ａ上に設けられたデッキ３Ａの温度上昇を抑制することができる。
さらに、デッキ３Ａだけでなく、デッキ３Ａ周囲の温度上昇を抑制することもできるので、窓やドアを開けて自然換気を行う際も、比較的温度の低い外気を建物内部に取り入れることができ、より快適な居住環境を形成することが可能となる。
【００５４】
（第４の実施の形態）
次に、図面を参照して本発明の第４の実施の形態について説明する。なお、説明の便宜上、上述した第１〜第３の実施の形態とは異なる構成部分のみについて説明する。
【００５５】
本実施の形態の建物のデッキ構造は、前記基本構造Ｓを備えているとともに、図４（ａ）に示すように、前記ブロック材５Ｂは地面に複数敷設されており、これらブロック材５Ｂ上に前記デッキ３Ｂが設置されているものである。
より詳細には、前記地面に複数敷設されたブロック材５Ｂの直上に、複数のデッキ材４Ｂが並設された状態となっており、図４（ｂ）に示すように、デッキ３Ｂの高さが地面により近いものとなっている。なお、これら複数のデッキ材４Ｂは、前記ブロック材５Ｂの表面に所定間隔で取り付けられた取付金具５Ｂａを介して設けられている。
【００５６】
このように、これら複数のブロック材５Ｂを地面に敷設した場合、例えば、地面よりも高い位置で保持する場合に比して、ブロック材５Ｂの重量について憂慮する必要がないので、庭２Ｂにデッキ３Ｂを設置する際にはデッキ３Ｂを組み立てやすく、デッキ３Ｂ使用時においては、ブロック材５Ｂの落下の心配がないので居心地が良い。また、デッキ３Ｂの高さが地面により近いものとなっているので、このデッキ３Ｂを介して、建物内と庭２Ｂとの行き来がしやすい。
【００５７】
なお、本実施の形態のブロック材５Ｂには、図４（ａ），（ｂ）に示すように、このブロック材５Ｂに水を供給するための供給手段１０Ｂが設けられている。本実施の形態においては、前記ブロック材５Ｂが地面に敷設されているため、ブロック材５Ｂに内設された給水パイプ１０Ｂａの給水口１０Ｂｂは、ブロック材５Ｂの側面に設けられているとともに、給水源（図示せず）から延出する送水用パイプ１０Ｂｃは、前記給水口１０Ｂｂの位置に対応して、枝分かれしながら延出している。これによって、このようにブロック材５Ｂが地面に敷設されていても円滑に水を供給できるので、ブロック材５Ｂに水を満遍なく行き渡らせることができるようになっている。
【００５８】
本実施の形態によれば、第１の実施の形態と同じ効果を得ることができるとともに、前記ブロック材５Ｂが地面に複数敷設され、これらブロック材５Ｂ上に前記デッキ３Ｂが設置されているので、前記ブロック材５Ｂに浸透して保持された水が蒸発する際に、周囲の熱を奪いながら蒸発することによって、前記ブロック材５Ｂ上に設けられたデッキ３Ｂの温度上昇を抑制することができる。
さらに、デッキ３Ｂだけでなく、デッキ３Ｂ周囲の温度上昇を抑制することもできるので、窓やドアを開けて自然換気を行う際も、比較的温度の低い外気を建物内部に取り入れることができ、より快適な居住環境を形成することが可能となる。
【図面の簡単な説明】
【００５９】
【図１】本発明の建物のデッキ構造を示す斜視図である。
【図２】本発明の建物のデッキ構造を示す断面図である。
【図３】本発明の建物のデッキ構造を示す斜視図である。
【図４】本発明の建物のデッキ構造を示し、（ａ）は斜視図であり、（ｂ）は正断面図である。
【図５】供給手段を備えたブロック材を示し、（ａ）は斜視図であり、（ｂ）は正断面図である。
【図６】供給手段の他の一例を示す概念図である。
【図７】図６に示す供給手段の応用例を示す概念図である。
【図８】中庭にデッキを備えた建物を示す平面図である。
【符号の説明】
【００６０】
１  建物本体
２  庭
３  デッキ
４  デッキ材
５  ブロック材
４０  デッキ材
５０  ブロック材
【図１】
2007327229.tif 000003
【図２】
2007327229.tif 000004
【図３】
2007327229.tif 000005
【図４】
2007327229.tif 000006
【図５】
2007327229.tif 000007
【図６】
2007327229.tif 000008
【図７】
2007327229.tif 000009
【図８】
2007327229.tif 000010